(57)【特許請求の範囲】
【請求項１】
光を出射する光源と、
前記光源の光照射面が、基板面に対して垂直となるように前記光源が実装された基板と、
前記光源から出射された光が入射する入射面が、前記光照射面と対向し、前記入射面から光出射方向に延び、途中で被照射面側に折れ曲がった形状をした導光体とを備えた照明装置であって、
前記基板の光源が実装された実装面と反対側の面が前記被照射面と対向するように前記基板を配置し、
前記導光体を保持する導光体ホルダと、
前記導光体を前記導光体ホルダ側に付勢する付勢手段を有し、前記導光体を前記導光体ホルダ側に押し付ける押し付け部材とを備え、
前記基板は、前記導光体ホルダにネジ止めされており、
前記押し付け部材に、前記基板のネジ止め部よりも導光体側を、前記導光体ホルダに押し付ける基板押し付け部を設け、
前記基板押し付け部は、前記基板の導光体側端部まで当接して、前記基板の導光体側端部まで前記導光体ホルダ側に押し付けていることを特徴とする照明装置。
【請求項２】
請求項１に記載の照明装置であって、
前記押し付け部材を、前記導光体ホルダよりも前記被照射面側に配置したことを特徴とする照明装置。
【請求項３】
請求項１または２に記載の照明装置であって、
前記導光体ホルダに、前記導光体と前記基板とが位置決めされていることを特徴とする照明装置。
【請求項４】
請求項１乃至３いずれかに記載の照明装置であって、
前記光源を、前記基板の導光体側端部に実装したことを特徴とする照明装置。
【請求項５】
請求項１乃至４いずれかに記載の照明装置であって、
前記導光体の出射面に光を拡散する拡散手段を形成したことを特徴と照明装置。
【請求項６】
請求項５に記載の照明装置であって、
前記導光体の出射面から出射する光の長手方向の拡散角度が、短手方向の拡散角度よりも大きくなるよう、前記拡散手段を構成したことを特徴とする照明装置。
【請求項７】
請求項１乃至６いずれかに記載の照明装置であって、
複数の光源が、前記基板の長手方向に直線状に配列されており、
前記基板の長手方向端部側の光源の配列間隔を、前記基板の長手方向中央の光源の配列間隔よりも狭くしたことを特徴とする照明装置。
【請求項８】
原稿面に対して光を照射する照明手段と、該原稿面からの反射光を受光して該原稿面の画像を撮像する撮像手段とを備えた画像読取装置であって、
上記照明手段として、請求項１乃至７いずれかに記載の照明装置を用いたことを特徴とする画像読取装置。
【請求項９】
原稿面の画像を読み取る画像読取手段と、
該画像読取手段で読み取った画像情報に基づいて記録材上に画像を形成する画像形成手段とを備えた画像形成装置であって、
上記画像読取手段として、請求項８に記載の画像読取装置を用いたことを特徴とする画像形成装置。
【発明の詳細な説明】
【技術分野】
【０００１】
本発明は、照明装置、画像読取装置および画像形成装置に関するものである。
【背景技術】
【０００２】
従来から、コンタクトガラス上に載置された被照射体たる原稿の被照射面たる原稿面に光を照射する照明装置を保持した走行部材を、原稿面に沿って副走査方向に移動させながら原稿面から反射した光を撮像素子に導いて画像を読み取る画像読取装置を備えた画像形成装置が知られている。
【０００３】
特許文献１には、原稿面に光を照射する光源が実装された基板と、光源より照射された光を原稿の照明領域へと導く導光体とを備えた照明装置が記載されている。光源の光照射面が、基板面に対して直交するように、光源が基板に実装されており、上記基板は、原稿面と平行な面に取り付けられている。導光体の入射面側が、基板に載置され、カバー部材により基板に押し付けられている。導光体は、光源の光出射方向に真直ぐに延び、途中でコンタクトガラス側に折れ曲がった形状となっている。
【発明の概要】
【発明が解決しようとする課題】
【０００４】
近年、画像読取装置のさらなる小型化が求められており、画像読取装置に搭載される照明装置のさらなる小型化が求められていた。上記特許文献１に記載の照明装置においては、導光体が基板に載置されている関係で、照明装置のコンタクトガラス面に対して直交する方向長さが、基板の厚さ＋導光体のコンタクトガラス面に対して直交する方向長さとなっており、さらなる、コンタクトガラス面に対して直交する方向長さの低減が求められていた。
【課題を解決するための手段】
【０００５】
上記課題を解決するために、本発明は、光を出射する光源と、前記光源の光照射面が、基板面に対して垂直となるように前記光源が実装された基板と、前記光源から出射された光が入射する入射面が、前記光照射面と対向し、前記入射面から光出射方向に延び、途中で被照射面側に折れ曲がった形状をした導光体とを備えた照明装置であって、前記基板の光源が実装された実装面と反対側の面が前記被照射面と対向するように前記基板を配置し、前記導光体を保持する導光体ホルダと、前記導光体を前記導光体ホルダ側に付勢する付勢手段を有し、前記導光体を前記導光体ホルダ側に押し付ける押し付け部材とを備え、前記基板は、前記導光体ホルダにネジ止めされており、前記押し付け部材に、前記基板のネジ止め部よりも導光体側を、前記導光体ホルダに押し付ける基板押し付け部を設け、前記基板押し付け部は、前記基板の導光体側端部まで当接して、前記基板の導光体側端部まで前記導光体ホルダ側に押し付けていることを特徴とするものである。
【発明の効果】
【０００６】
本発明によれば、被照射面に対して直交する方向の長さを短くできる。
【図面の簡単な説明】
【０００７】
【図１】複写機全体の外観斜視図。
【図２】複写機の概略構成図。
【図３】スキャナ部を示す斜視図。
【図４】スキャナ部の内部を示す斜視図。
【図５】一体型走査ユニットを示す概略構成図。
【図６】照明ユニットの斜視図。
【図７】照明ユニットの平面図。
【図８】図７のＡ−Ａ断面図。
【図９】基板の斜視図。
【図１０】基板の平面図。
【図１１】図１０のＡ−Ａ断面図。
【図１２】導光体の斜視図。
【図１３】導光体の平面図。
【図１４】図１３のＡ−Ａ断面図。
【図１５】出射面の長手方向の拡散角度を示す図。
【図１６】出射面の短手方向の拡散角度を示す図。
【図１７】導光体の位置決め突起と、ＬＥＤとの配置関係について説明する図。
【図１８】カバー部材の斜視図。
【図１９】図１８のＡ−Ａ断面図。
【図２０】照明ユニットの導光体付近の拡大断面図。
【図２１】照明ユニットとコンタクトガラスとを示す断面図。
【図２２】従来の照明ユニットの概略断面図。
【発明を実施するための形態】
【０００８】
以下、本発明を適用した画像形成装置の実施形態の一例（以下、本実施形態を実施形態１という。）として、電子写真方式の複写機（以下、単に複写機１という）について説明する。
図１は、実施形態に係る画像形成装置としての複写機１全体の外観斜視図である。
複写機１では、本体の略中央部に画像形成手段としてのプリンタ部１００が配置され、そのプリンタ部１００の上部には画像読取ユニット１３０が配置されている。画像読取ユニット１３０には、スキャナ部１０と原稿搬送手段としての原稿自動搬送装置（ＡＤＦ）１２０とが設けられている。
【０００９】
図２は、複写機１の概略構成図である。
プリンタ部１００は、画像処理部Ｂ、画像記憶部Ｃ、画像書込部Ｄ、画像記録部Ｅ、給紙部Ｆ等を備えている。
【００１０】
画像記録部Ｅは、潜像担持体である感光体ドラム３１と、その周囲に配置される、帯電器３２、現像器３３、転写器３４、分離器３５、クリーニング装置３６等とから構成されている。また、分離器３５の下流側には、更に、搬送部３７、定着部３８、排紙部３９も配置されており、これらも画像記録部Ｅを構成している。
給紙部Ｆは、記録材としての転写紙Ｐを収容する給紙カセット４１、給紙カセット４１内の転写紙Ｐを分離して給送する給紙機構４２等から構成されている。
【００１１】
回転駆動する感光体ドラム３１の表面は、帯電器３２により一様帯電される。帯電された後の感光体ドラム３１の表面には、画像読取ユニット１３０で読み取った画像情報について画像処理部Ｂが画像処理した後の情報に基づいて変調されたレーザー光線３が画像書込部Ｄから感光体ドラム軸方向にスキャンされて照射される。これにより、感光体ドラム３１上に静電潜像が形成される。感光体ドラム３１上に形成された静電潜像は、現像器３３と対向する現像領域において帯電トナーが付着して現像されることによりトナー像となる。一方、転写紙Ｐは給紙部Ｆにより給紙・搬送され、所定のタイミングで感光体ドラム３１と転写器３４とが対向する転写領域に送出・搬送される。そして、転写器３４により、感光体ドラム３１上のトナー像とは逆極性の電荷を転写紙Ｐに付与することで、感光体ドラム３１上に形成されたトナー像が転写紙Ｐに転写される。次いで、転写紙Ｐは、感光体ドラム３１から分離され、搬送部３７により定着部３８へ搬送され、その定着部３８においてトナー像が定着される。その後、排紙部３９により機外に排出される。転写器３４でトナー像が転写された後の感光体ドラム３１の表面は、クリーニング装置３６でクリーニングされ、感光体ドラム３１上に残ったトナーが除去される。
【００１２】
画像処理部Ｂは、画像読取ユニット１３０から送信された画像信号について所定の画像処理を行う。画像処理部Ｂで行う画像処理としては、例えば、シェーディング補正、輝度／濃度変換、ＥＥ処理、文字／網点判別、フィルタ／変倍処理、コピーγ補正、書込濃度補正、２ビーム制御、誤差拡散処理、データ圧縮処理等が挙げられる。そして、画像処理部Ｂで処理された画像データは画像記憶部Ｃ内に一時的に保存される。画像記憶部Ｃに一時的に記憶された画像データは、画像書込部Ｄに出力される。画像書込部Ｄでは、その画像データに基づく書込光を半導体レーザから出力する。この半導体レーザからの書込光は、駆動モータ２１により回転される回転多面鏡（ポリゴンミラー）２２で回転走査される。回転走査された書込光は、ｆθレンズ２３を経て、第１ミラー２４、第２ミラー２５、シリンドリカルレンズ２６、第３ミラー２７を通過する。そして、カバーガラス２８から射出され、画像記録部Ｅに設けられた感光体ドラム３１上に照射される。
【００１３】
図３は、スキャナ部１０を示す斜視図である。このスキャナ部１０の上には、原稿自動搬送装置１２０が搭載され、蝶番によって揺動自在に支持されていることで、スキャナ部１０の上面を開閉することが可能になっている。スキャナ部１０の上面には、透明部材としてのコンタクトガラス５７およびスリットガラス５８とを備えている。
【００１４】
図４は、スキャナ部１０の内部を示す斜視図である。
図４に示すように、スキャナ部１０は、一体型走査ユニット２００などを収納した略直方体形状の箱状部材の筐体部１０ａと、筐体部１０ａの上面を塞ぐように筐体部１０ａに取り付けられるスキャナカバー１０ｂとを有している。一体型走査ユニット２００は、筐体部１０ａに図中左右方向に取り付けられたガイドロッド５２と、ガイドレール５１とにより図中矢印Ｇ方向に移動可能に支持されている。
【００１５】
図５は、一体型走査ユニット２００を示す概略構成図である。
図５に示すように、一体型走査ユニット２００のフレーム４０７内には、照明装置としての照明ユニット４０１が格納されている。また、撮像対象物としての原稿からの反射光を屈折させる５枚の反射ミラー４０２ａ，４０２ｂ，４０２ｃ，４０２ｄ，４０２ｅ、これら反射ミラーからの反射光を集光する結像レンズユニット４０３も格納されている。また、結像レンズユニット４０３で集光された光を光電変換する撮像手段としてのイメージセンサ４０５、イメージセンサ４０５を駆動してイメージセンサ４０５から出力された電気信号に基づいて画像信号を出力する駆動回路基板４０６なども格納されている。
【００１６】
結像レンズユニット４０３は、反射ミラー４０２ｅ側に配置された第１群レンズ４０３ａと、イメージセンサ４０５側に配置された第２群レンズ４０３ｂとを有している。第１群レンズ４０３ａは、正のパワーをもつレンズであり、第２群レンズ４０３ｂは、負のパワーをもつレンズである。本実施形態においては、第１群レンズ４０３ａを一枚のレンズで構成しているが、一枚以上の正のパワーを持つレンズを含む複数（例えば、２〜４枚）のレンズで構成してもよい。結像レンズユニット４０３を、正のパワーをもつ第１群レンズ４０３ａと、負のパワーをもつ第２群レンズ４０３ｂとで構成することで、色収差が補正され、解像度の高い画像をイメージセンサ４０５に結像することができる。また、焦点距離を短くでき、一体型走査ユニット２００をコンパクト化することができる。さらには、第２群レンズ４０３ｂからイメージセンサ４０５までの距離である所謂バックフォーカスも短縮することができ、一体型走査ユニット２００をコンパクト化することができる。
【００１７】
第１群レンズ４０３ａ、第２群レンズ４０３ｂは、レンズ受台４０９に保持されている。イメージセンサ４０５を実装した駆動回路基板４０６は、固定ブラケット４１０を介してレンズ受台４０９に取り付けられている。イメージセンサ４０５としては、ＣＣＤ（charge-coupled device）やＣＭＯＳ（Complementary Metal Oxide Semiconductor）などを用いることができる。
【００１８】
次に、本実施形態の特徴点である照明ユニット４０１について説明する。
図６は、照明ユニット４０１の斜視図であり、図７は、照明ユニット４０１の平面図である。また、図８は、図７のＡ−Ａ断面図である。
照明装置たる照明ユニット４０１は、光源としてＬＥＤ７１が実装された基板７０と、ＬＥＤ７１から出射された光を、原稿の照明領域へ導く導光体６３とを備えている。上記基板７０および導光体６３は、導光体ホルダたるベース板金６１の導光体保持部６１ｅに保持されている。また、ベース板金６１には、原稿からの反射光が通過するための開口部６１ａが設けられている。この開口部６１ａを挟んで導光体６３や基板７０が保持された箇所とは、反対側には、反射部材６２がベース板金６１の反射部材取り付け部６１ｆに取り付けられている。また、押し付け部材たるカバー部材６４が複数のネジ６５、６６によってベース板金６１に取り付けられている。
【００１９】
また、ベース板金６１には、基板７０を保持する基板保持部６１ｄが設けられており、基板保持部６１ｄと導光体保持部６１ｅとの間に段差が形成されており、基板保持部６１ｄが、導光体保持部６１ｅに対して上側（コンタクトガラス側）に位置している。
【００２０】
導光体６３に設けられた位置決め突起６３ｃを、ベース板金６１の導光体保持部６１ｅに形成された位置決め穴６１ｂに嵌め込んで、導光体６３は、ベース板金６１に対して位置決めされる。そして、カバー部材６４に設けられた板バネ部材８１によりベース板金６１の導光体保持部６１ｅ側に付勢されることで、導光体６３は、ベース板金６１に保持されている。
【００２１】
基板７０は、基板７０に設けられた位置決め穴７０ｂ（図９、図１０参照）を基板保持部６１ｄに設けられた位置決め突起６１ｇに嵌め込んで、ベース板金６１に対して位置決めされる。また、カバー部材６４も、カバー部材６４に設けられた位置決め穴６４ｂ（図１８参照）を、位置決め突起６１ｇに嵌め込んで、ベース板金６１に対して位置決めされる。そして、ネジ６６を、基板保持部６１ｄに設けられたネジ穴６１ｃにネジ止めすることにより、基板７０が、基板保持部６１ｄとカバー部材６４とにより狭持されるような形で、基板保持部６１ｄに保持される。
【００２２】
図９は、基板７０の斜視図であり、図１０は、基板７０の平面図であり、図１１は、図１０のＡ−Ａ断面図である。
基板７０には、光源としてのサイドビュータイプのＬＥＤ７１が基板の長手方向（主走査方向）に沿って複数実装されている。複数のＬＥＤ７１は、光照射面７１ａが、基板７０の短手方向一端面（導光体側端面）に揃うように、基板７０のＬＥＤ実装面７０２に実装されている。これにより、図１１の矢印Ｅに示すように、ＬＥＤ７１の光照射面７１ａから基板７０側に向う光が、基板７０にけられることなく、導光体６３に入射させることができ、効率よくＬＥＤ７１の光を、原稿の読取に用いることができる。
【００２３】
また、基板７０のＬＥＤ実装面７０２の長手方向一端には、コネクタ７２が実装されている。基板の短手方向他端側には、等間隔で３箇所、ネジ６６（図６など参照）が貫通するネジ貫通穴７０ａが設けれている。また、端側のネジ貫通穴７０ａよりも端側には、位置決め穴７０ｂが形成されている。
【００２４】
図１２は、導光体６３の斜視図であり、図１３は、導光体６３の平面図であり、図１４は、図１３のＡ−Ａ断面図である。
導光体６３は、アクリル等の透過率の高い樹脂等によって形成されており、ＬＥＤ７１の光照射方向に延びる入射側部分６３１と、入射側部分から上方（コンタクトガラス側）に折れ曲がった出射側部分６３２とを有している。また、導光体６３は、入射面６３ａから出射面６３ｂへ向うにつれて、その厚みが徐々に増加するような形状となっている。また、導光体６３の入射側部分６３１の下面には、長手方向中央と、両端に、位置決め突起６３ｃが形成されている。
【００２５】
導光体６３の出射面６３ｂには、拡散手段としての拡散剤が塗布されている。これにより、ＬＥＤ７１からの光が出射面６３ｂから射出するときに拡散される。これにより、各ＬＥＤの色度や照度のばらつきの影響による原稿面照射される主走査方向の照度や色度のばらつきを抑えることができる。
【００２６】
また、ＬＥＤ７１から照射される照射光のうち、発光中心線方向の光（指向角がゼロである光）が最も照射強度が大きく、角度が大きくなるほど光の照射強度の減少割合が大きくなる。すなわち、指向角が小さい光については最大照射強度に近い照射強度を有するが、指向角が大きい光については最大照射強度よりも大幅に小さい照射強度を有する。その結果、主走査方向の照度分布が、ＬＥＤ７１が配置された箇所に対応する照度が高く、ＬＥＤ７１間の中央に対応する箇所の照度が低いリップル形状の照度分布となる。
【００２７】
しかし、導光体６３の出射面６３ｂに拡散剤を塗布して、導光体の出射面６３ｂから射出する光を拡散することにより、上述したようなリップル形状の照度分布となるのを抑制することができる。サンドブラスト加工などのより出射面６３ｂに微小な凹凸を形成して、出射面６３ｂから射出する光を拡散させるようにしてもよい。また、導光体の出射面６３ｂに拡散シートを貼付けることで、出射面６３ｂから出射する光を拡散させるようにしてもよい。
【００２８】
また、図１５に示すように、出射面６３ｂの長手方向（主走査方向Ｘ）の拡散角度θ１を、図１６に示すように、出射面６３ｂの短手方向の拡散角度θ２よりも大きくなるように、出射面６３ｂから出射する光を拡散させるように構成するのが好ましい。かかる構成は、出射面６３ｂの凹凸形状などを所定の形状にすることにより達成することができる。図１６に示すように、短手方向の拡散角度θ２が大きいと、照明領域Ｌ（図２１参照）や反射部材６２に入射しない光が多くなり、照明領域Ｌに照射される光量が低下する。一方、図１５に示すように、主走査方向Ｘの拡散角度θ１の方は、大きくするほど、主走査方向の照度分布のリップル形状を抑えることができ、好ましい。従って、主走査方向Ｘの拡散角度θ１を、短手方向の拡散角度θ２よりも大きくすることにより、照明領域Ｌに照射される光量の低下を抑制しつつ、主走査方向Ｘの照度分布のリップル形状を良好に抑えることができる。本実施形態では、主走査方向Ｘの拡散角度θ１を約２５°、副走査方向の拡散角度θ２を約１５°に設定した。
【００２９】
図１７は、導光体６３の位置決め突起６３ｃと、ＬＥＤ７１との配置関係について説明する図である。
図１７に示すように、導光体６３の各位置決め突起６３ｃは、隣り合うＬＥＤ７１の発光中心Ｏの間に位置するように、構成されている。これにより、ＬＥＤ７１の発光中心線上に位置決め突起６３ｃを設けた場合に比べて、発光強度の弱い光を、位置決め突起６３ｃへ入射させることができる。これにより、位置決め突起６３ｃから漏れ出す光を、発光強度の弱い光にすることができ、主走査方向の照度分布を均一にすることができる。
【００３０】
結像レンズユニット４０３（図５参照）などの光学系では、画角により主走査方向端部の光量が低下してしまう。このため、本実施形態においては、図１７に示すように、基板７０の長手方向（主走査方向Ｘ）端部側に実装されたＬＥＤ７１間の距離Ｘ２が、長手方向（主走査方向Ｘ）中央部分のＬＥＤ７１間の距離Ｘ１よりも短くなっている。かかる構成とすることで、主走査方向端部の照度を上げることができ、結像レンズユニット４０３（図５参照）などの光学系での画角による主走査方向端部の光量低下を、補うことができる。
【００３１】
図１８は、カバー部材６４の斜視図であり、図１９は、図１８のＡ−Ａ断面図である。
図１８に示すように、カバー部材６４は、板金からなり、導光体６３と対向する導光体対向面６４２には、長手方向（主走査方向）に等間隔で５箇所、板バネ部材８１が取り付けられている。また、カバー部材６４の基板７０と対向する対向部には、基板７０をベース板金６１に押し付ける基板押し付け部６４１をが形成されている。また、この基板押し付け部６４１の導光体側と反対側の端部付近には、長手方向に等間隔で３箇所、ネジ６６（図６参照）が貫通するネジ貫通穴６４ａが形成されている。また、ネジ貫通穴より、主走査方向端部側には、ベース板金６１に位置決めされる位置決め穴６４ｂが形成されている。
また、カバー部材６４の導光体側の主走査方向両端には、ベース板金６１にネジ止めされるネジ止め部６４３が形成されている。
【００３２】
図２０は、照明ユニット４０１の導光体６３付近の拡大断面図である。
図２０に示すように導光体６３の入射側部分６３１にカバー部材６４の板バネ部材８１が当接して、導光体６３が、板バネ部材８１によりベース板金６１の導光体保持部６１ｅに押し付けられている。また、基板７０のＬＥＤ７１が実装されていない非実装面７０１にカバー部材６４の基板押し付け部６４１が当接し、基板７０を基板保持部６１ｄ（図８参照）側に押し付けている。
【００３３】
図２０に示すように、導光体６３および基板７０が、ベース板金６１に位置決め保持された状態で、ＬＥＤ７１の光照射面７１ａの上下方向中央を、導光体６３の入射面６３ａの上下方向の中央にほぼ合わせることができる。これにより、ＬＥＤ７１の光照射面７１ａから出射した光を、良好に導光体６３に入射させることができる。
【００３４】
導光体６３は、アクリル等の樹脂で構成しているため、熱膨張率が高い。板バネ部材８１などで弾性的に導光体６３を基板保持部６１ｄ側に押さえることで、導光体６３が熱膨張したとき、板バネ部材８１が変形して導光体６３の熱膨張を吸収することができる。これにより、導光体６３が主走査方向に反ったりするのを抑制することができ、ＬＥＤ７１の光照射面７１ａの上下方向中央を、導光体６３の入射面６３ａの上下方向の中央からずれるのを抑制することができ、主走査方向の照度低下を抑制することができる。
【００３５】
また、図２０に示すように、基板押し付け部６４１は、ほぼ、基板７０の導光体６３側端部まで当接して、基板７０の導光体６３側端部まで基板保持部６１ｄ（図８参照）側に押し付けている。基板７０が、ネジ６６（図８参照）の部分近辺のみ、基板保持部６１ｄ側に押し付ける構成の場合、基板７０の導光体側が、規定の位置に対して上下方向にずれる場合がある。しかし、基板７０の導光体６３側端部まで基板保持部６１ｄで押さえることで、基板７０の導光体側を規定の位置に位置させることができる。これにより、ＬＥＤ７１の光照射面７１ａの上下方向中央を、導光体６３の入射面６３ａの上下方向の中央からずれのを抑制することができ、主走査方向の照度低下を抑制することができる。
【００３６】
また、本実施形態では、カバー部材６４により基板７０や導光体６３が押し付けられるベース板金は、熱伝導性の良い金属で構成されている。これにより、基板７０や導光体６３の熱を、ベース板金に効率よく伝導させ、ベース板金により放熱することができる。その結果、基板７０や導光体６３の熱膨張を抑えることができ、ＬＥＤ７１と、導光体６３との位置関係がずれるのを抑制することができ、ＬＥＤ７１から照射された光を、良好に照明領域Ｌに導くことができる。
【００３７】
また、本実施形態においては、カバー部材６４やカバー部材に設けられた板バネ部材８１も金属で構成している。これにより、基板７０に当接しているカバー部材６４の基板押し付け部６４１に基板７０の熱を良好に伝導させることができ、カバー部材６４から基板７０の熱を放散させることができる。これにより、基板７０の熱膨張を良好に抑制することができる。また、金属の板バネ部材８１を介して金属のカバー部材６４に導光体６３の熱を良好に伝導させることができ、カバー部材６４から導光体６３の熱を放散させることができる。これにより、導光体６３の熱膨張を良好に抑制することができる。
【００３８】
図２１は、照明ユニット４０１とコンタクトガラス５７とを示す断面図である。
図２１に示すように、ＬＥＤ７１から照射された光は、導光体６３の入射面６３ａに入射して導光体６３内を全反射しながら、出射面６３ｂへ移動し、出射面６３ｂから出射する。導光体の出射面６３ｂから出射した光の一部は、直接、照明領域Ｌへ向いコンタクトガラス５７上にセットされた被照射面たる原稿の原稿面を照射する。残りの光は、反射部材６２反射されて、照明領域Ｌへ向いコンタクトガラス５７上にセットされた原稿面を照射する。照射領域Ｌに照射された光は、コンタクトガラス５７上の原稿面を反射して、ベース板金６１の開口部６１ａを通って、先の図５に示した反射ミラー４０２ａへ向う。
【００３９】
図２２は、従来の照明ユニット４０１’の概略断面図である。
図２２に示すように、導光体６３’が、ＬＥＤ７１の光出射方向Ｆに対して真直ぐ延びるような形状となっている場合、ベース板金６１を、コンタクトガラス面に対して、傾斜させ、その傾斜面に基板７０と導光体６３’を保持することになる。その結果、照明ユニット４０１が上下方向に長くなり、スキャナ部１０が上下方向に大型化するという不具合があった。
【００４０】
これに対し、本実施形態においては、導光体６３を光照射方向に延ばし途中でコンタクトガラス側に折れ曲がった形状とすることで、図２１に示すように、ベース板金６１をコンタクトガラス５７とほぼ平行にすることができる。これにより、先の図２２に示す構成に比べて、照明ユニット４０１の上下方向の長さを短くでき、スキャナ部１０の小型化を図ることができる。
【００４１】
さらに、本実施形態においては、基板７０のＬＥＤ実装面７０２を下向きにし、基板７０をＬＥＤ７１よりもコンタクタガラス側となるように、基板７０を保持している。これにより、図２１に示すように、基板７０を、導光体６３の上下方向の範囲内に配置することができる。これにより、照明ユニット４０１をさらに、上下方向に小型化することができ、スキャナ部１０の上下方向にさらに小型化することができる。
【００４２】
また、本実施形態では、カバー部材６４を導光体６３よりもコンタクトガラス側に配置している。これにより、導光体６３の入射側部分６３１の上面と、出射側部分６３２の上端とのデットスペースα（図１４参照）に、板バネ部材８１を配置することができる。これにより、照明ユニット４０１を上下方向に大型化することなく、導光体６３を板バネ部材８１で導光体保持部６１ｅに押し付けることができる。
【００４３】
さらに、本実施形態では、カバー部材６４を板金で構成している。カバー部材６４を板金で構成することで、樹脂で構成した場合に比べて補強リブを設けたり厚みを厚くしたりせずとも、カバー部材６４の強度を出すことができる。これにより、カバー部材を樹脂で構成した場合に比べて、照明ユニット４０１を上下方向に小型化することができる。
【００４４】
以上に説明したものは一例であり、以下の態様毎に特有の効果を奏する。
（態様１）
光を出射するＬＥＤ７１などの光源と、前記光源の光照射面が、基板面に対して垂直となるように前記光源が実装された基板７０と、前記光源から出射された光が入射する入射面が、前記光照射面と対向し、前記入射面から光出射方向に延び、途中で原稿面などの被照射面側に折れ曲がった形状をした導光体６３とを備えた照明ユニットなどの照明装置であって、前記基板７０の光源が実装された実装面と反対側の面が前記被照射面と対向するように前記基板を配置した。
これによれば、導光体の被照射面に対して直交する方向の長さの範囲内に基板を配置することができ、特許文献１に記載の照明装置に比べて、基板の厚み分、照明装置の前記被照射面に対して直交する方向の長さを短くできる。
【００４５】
（態様２）
（態様１）であって、導光体６３を保持するベース板金６１などの導光体ホルダと、前記導光体６３を前記導光体ホルダ側に付勢する板バネ部材８１などの付勢手段を有し、前記導光体６３を前記導光体ホルダ側に押し付けるカバー部材６４などの押し付け部材とを備え、前記光源実装面に対して直交する方向において、前記押し付け部材を、前記導光体ホルダよりも前記被照射面側に配置した。
これによれば、実施形態で説明したように、導光体６３の真直ぐ延びる部分の光照明領域側の面と、折れ曲がった部分の光照明領域側端部との間の導光体のデットスペースに板バネ部材８１たる付勢手段を配置することができる。これにより、照明ユニット４０１などの照明装置を原稿面などの被照射面に対して垂直方向に大型化することなく、付勢手段により導光体６３をベース板金６１などの導光体ホルダ側に付勢することができる。
【００４６】
（態様３）
（態様２）であって、ベース板金６１などの導光体ホルダに、前記導光体６３と前記基板７０とが位置決めされている。
これによれば、同一の部材に、導光体６３と基板７０とが位置決めされるので、それぞれ別々の部材に位置決めされる場合に比べて、導光体６３と基板７０に実装されたＬＥＤ７１などの光源との位置関係の精度を高めることができる。これにより、主走査方向で、均一にＬＥＤ７１からの光を導光体に入射させることができ、照明領域Ｌでの主走査方向の照度分布を均一にすることができる。
【００４７】
（態様４）
（態様２）または（態様３）であって、前記基板７０は、前記ベース板金６１などの導光体ホルダにネジ止めされており、前記カバー部材６４などの押し付け部材に、前記基板７０のネジ止め部よりも導光体側を、前記導光体ホルダに押し付ける基板押し付け部６４１を備えた。
これによれば、実施形態で説明したように、基板の導光体側が、ネジ止め部を支点にして、ベース板金６１などの導光体ホルダから浮き上がるのを防止することができる。これにより、基板に実装されたＬＥＤ７１などの光源と導光体６３との位置関係が規定の関係からずれてしまうのを抑制することができ、光源から出射した光を良好に導光体へ入射させることができ、照明領域Ｌでの照度低下を抑制することができる。
【００４８】
（態様５）
（態様１）乃至（態様４）のいずれかであって、ＬＥＤ７１などの光源を、前記基板７０の導光体側端部に実装した。
これによれば、実施形態で説明したように、ＬＥＤ７１などの光源から出射した光のうち、基板側に向う光も、基板にけられることなく、導光体に入射させることが可能となる。これにより、光源の光を効率よく用いることが可能となる。
【００４９】
（態様６）
（態様１）乃至（態様５）のいずれかであって、前記導光体６３の出射面６３ｂに光を拡散する拡散手段を形成した。
これによれば、実施形態で説明したように、照明領域での照度分布を均一にすることができる。
【００５０】
（態様７）
（態様６）であって、前記出射面６３ｂから出射される光の長手方向の拡散角度θ１が、短手方向の拡散角度θ２よりも大きくなるよう、前記拡散手段を構成した。
これによれば、実施形態で説明したように、照明領域での照度分布を均一にし、かつ、照明領域外へ光が照射されるのを抑制することができる。
【００５１】
（態様８）
（態様１）乃至（態様７）のいずれかであって、複数のＬＥＤ７１などの光源が、前記基板７０の長手方向に直線状に配列されており、前記基板７０の長手方向端部側の光源の配列間隔を、前記基板の長手方向中央の光源の配列間隔よりも狭くした。
これによれば、実施形態で説明したように、結像レンズユニット４０３などの光学系を介してイメージセンサ４０５などの撮像手段に入射する光の主走査方向端部の光量低下を抑制することができる。
【００５２】
（態様９）
原稿面に対して光を照射する照明ユニット４０１などの照明手段と、該原稿面からの反射光を受光して該原稿面の画像を撮像するイメージセンサ４０５などの撮像手段とを備えたスキャナ部１０などの画像読取装置であって、上記照明手段として、（態様１）乃至（態様８）いずれかの照明装置を用いた。
これによれば、スキャナ部１０を小型化することが可能となる。
【００５３】
（態様１０）
原稿面の画像を読み取るスキャナ部１０などの画像読取手段と、該画像読取手段で読み取った画像情報に基づいて記録材上に画像を形成するプリンタ部１００などの画像形成手段とを備えた画像形成装置であって、上記画像読取手段として、（態様９）の画像読取装置を用いた。
これによれば、画像形成装置の小型化を図ることができる。
【符号の説明】
【００５４】
１：複写機
１０：スキャナ部
６１：ベース板金
６１ａ：開口部
６１ｂ：位置決め穴
６１ｃ：ネジ穴
６１ｄ：基板保持部
６１ｅ：導光体保持部
６１ｇ：位置決め突起
６１ｆ：反射部材取り付け部
６２：反射部材
６３：導光体
６３ａ：入射面
６３ｂ：出射面
６３ｃ：位置決め突起
６４：カバー部材
６４ａ：ネジ貫通穴
６４ｂ：位置決め穴
６５,６６：ネジ
７０：基板
７０ａ：ネジ貫通穴
７０ｂ：位置決め穴
７１：ＬＥＤ
７１ａ：光照射面
７２：コネクタ
８１：板バネ部材
１００：プリンタ部
２００：一体型走査ユニット
４０１：照明ユニット
４０２ａ，４０２ｂ，４０２ｃ，４０２ｄ，４０２ｅ：反射ミラー
４０３：結像レンズユニット
４０５：イメージセンサ
６３１：入射側部分
６３２：出射側部分
６４１：基板押し付け部
６４２：導光体対向面
６４３：ネジ止め部
７０１：非実装面
７０２：ＬＥＤ実装面
Ｌ：照明領域
Ｏ：発光中心
Ｘ：主走査方向
Ｙ：副走査方向
θ１：長手方向拡散角度
θ２：短手方向拡散角度
【先行技術文献】
【特許文献】
【００５５】
【特許文献１】特開２０１３−１１８５２３号公報
【図１】
0006528989.tif 000002
【図２】
0006528989.tif 000003
【図３】
0006528989.tif 000004
【図４】
0006528989.tif 000005
【図５】
0006528989.tif 000006
【図６】
0006528989.tif 000007
【図７】
0006528989.tif 000008
【図８】
0006528989.tif 000009
【図９】
0006528989.tif 000010
【図１０】
0006528989.tif 000011
【図１１】
0006528989.tif 000012
【図１２】
0006528989.tif 000013
【図１３】
0006528989.tif 000014
【図１４】
0006528989.tif 000015
【図１５】
0006528989.tif 000016
【図１６】
0006528989.tif 000017
【図１７】
0006528989.tif 000018
【図１８】
0006528989.tif 000019
【図１９】
0006528989.tif 000020
【図２０】
0006528989.tif 000021
【図２１】
0006528989.tif 000022
【図２２】
0006528989.tif 000023